(57)【特許請求の範囲】
【請求項１】
データ転送元を収容する送信側エッジノードと、データ転送先を収容する受信側エッジノードと、前記送信側エッジノードと前記受信側エッジノードとの間に配置された中継ノードとを備え、
前記送信側エッジノードと前記受信側エッジノードとの間に前記中継ノードを経由するカットスルーパスを設定および解放する手段を備え、前記送信側エッジノードと前記中継ノードと前記受信側エッジノードとの間にはそれぞれ異なる複数のデータ転送用波長が設定された光通信網において、
前記データ転送用波長のいずれかが前記カットスルーパスを設定および解放する手段がカットスルーパスを設定および解放するために用いる制御用波長としてあらかじめ設定されて制御用パケットのみが転送され、
この設定された制御用波長のパスは、前記各ノードのカットスルーパスを設定および解放する手段の制御回路に入出力され、
前記制御用波長を除く前記データ転送用波長のいずれかがカットスルーパスとして用いるための専用波長としてあらかじめ設定され、
この設定された波長のパスについては前記各ノードのパケットのヘッダ読み取り機構に接続されることなく直接ノードの入出力端子に接続される
ことを特徴とする光通信網。
【請求項２】
データ転送元を収容する送信側ノードと、データ転送先を収容する受信側ノードと、前記送信側ノードと前記受信側ノードとの間に配置された中継ノードとを備えた光通信網に設けられたノードにおいて、
前記送信側ノードと前記受信側ノードとの間にカットスルーパスを設定および解放する手段を備え、
前記送信側ノードと前記中継ノードと前記受信側ノードとの間にはそれぞれ異なる複数のデータ転送用波長が設定され、
前記データ転送用波長のいずれかが前記カットスルーパスを設定および解放する手段がカットスルーパスを設定および解放するために用いる制御用波長としてあらかじめ設定されて制御用パケットのみが転送され、
この設定された制御用波長のパスは、前記カットスルーパスを設定および解放する手段の制御回路に入出力され、
前記制御用波長を除く前記データ転送用波長のいずれかがカットスルーパスとして用いるための専用波長としてあらかじめ設定され、
この設定された波長のパスについては前記各ノードのパケットのヘッダ読み取り機構に接続されることなく直接ノードの入出力端子に接続される
ことを特徴とするノード。
【発明の詳細な説明】
【０００１】
【発明の属する技術分野】
本発明は光通信に利用する。本発明は光波長を通信メディアとしてバーストデータ転送に使用する通信網における光バーストデータの転送技術に関する。
【０００２】
【従来の技術】
光通信における通常のＩＰ(Internet Protocol)データ転送では、出発点から終点までの間、複数のルータが配置されており、データはこのルータを経由しながら転送される。このときに、各ルータは、パケットに付与されたＩＰアドレスを参照しながら次に転送すべきルータを決めて転送を行う。
【０００３】
このような光通信網では、パケットのヘッダ情報を読み取る際には、光信号をいったん電気信号に変換してから読み取る。ルータは、このようにして読み取ったＩＰアドレスにしたがって次に転送すべきルータを決定する。
【０００４】
また、データをバースト的に転送する場合には、パケットの一つ一つについてＩＰアドレスを読み取っていたのでは転送効率が良くないので、あらかじめ出発点と終点との間にカットスルーパスを設定しておき、このカットスルーパスの区間ではＩＰヘッダを読み取る必要がないため、光信号をそのまま高速で転送することができる。
【０００５】
【発明が解決しようとする課題】
このような従来の光通信では、カットスルーパスを用いてバーストデータを転送する際には、あらかじめカットスルーパスを設定しておく必要がある。カットスルーパスをあらかじめ設定するためには、出発点から終点までに経由する各ルータにカットスルーパスを設定したい旨の要求を行い、各ルータがこの要求に応えることにより、はじめてカットスルーパスの事前設定が完了する。
【０００６】
この際に、各ルータにおけるカットスルーパスの設定手順をみてみると、まず、到着した光ＩＰパケットのヘッダ情報を電気信号に変換し、その中に、カットスルーパスの設定要求に相当する情報が含まれているか否かを読み取り、設定要求が含まれている場合には、カットスルーパス設定のための波長を選択し、波長が選択できたら実際にカットスルーパス設定を行う。そして、カットスルーパスが設定された波長については、もはやＩＰパケットのヘッダ情報を読み取る必要がないため、ＩＰパケットを光信号のまま転送すべく、他の波長と区別して取り扱うための設定変更を行う。
【０００７】
しかし、このような設定手順にはかなりの時間を要する。例えば、カットスルーパス設定のために２ｔ秒を要したとする。そして、このカットスルーパスを用いたバーストデータの転送に３ｔ秒を要したとすると、カットスルーパスを設定してバーストデータを転送し終わるまでに５ｔ秒を要することになる。この例では、バーストデータ転送に要した５ｔ秒間の内のおよそ半分近くの時間をカットスルーパスの設定に用いたことになる。このような事前のカットスルーパス設定に要する時間をデータ転送に充当できれば、さらなる転送効率の向上を期待することができる。
【０００８】
本発明は、このような背景に行われたものであって、ノードの設計を簡単化することができ、また、カットスルーパスの設定時間を短縮し、効率の良いバーストデータ転送を行うことができる光通信網を提供することを目的とする。
【０００９】
【課題を解決するための手段】
本発明は、カットスルーパス設定のための制御用波長を専用に設けたことを特徴とする。このように、カットスルーパス設定専用波長を決めておけば、その波長を扱うＣＰＵの処理手順としては、カットスルーパス設定に特化した処理手順としておけばよいので、処理の高速化を図ることができる。
【００１０】
例えば、カットスルーパス設定専用波長でパケットが到着したときには、そのパケットが通常の情報パケットであるか、あるいは、カットスルーパス設定のための制御パケットであるかを識別する必要がなく、速やかに、カットスルーパス設定手順を開始することができるため、その分の処理時間を短縮することができる。
【００１１】
さらに、カットスルーパスとして用いるための専用波長を設けることもできる。これにより、一つの光波長を、あるときは一般のデータ転送用波長として用い、またあるときはカットスルーパスとして用いることがないため、カットスルーパスとして用いるための専用波長については、もはや、そこを転送されるＩＰパケットのヘッダ情報を読み取る必要が無い。したがって、初めからヘッダ読み取りのための機構を一切排除した設計とすることできる。これにより、ノードの設計を簡単化することができる。さらに、カットスルーパスの設定要求が到着してから波長を選択したり、そのデータ転送用波長を他のカットスルーパスではないデータ転送用波長と区別するための設定変更を行う必要がなく、カットスルーパス設定時間を短縮することができる。
【００１２】
【発明の実施の形態】
（第一実施例）
本発明第一実施例の光通信網を図１および図２を参照して説明する。図１は本発明実施例の光通信網の概念図である。図２は本発明第一実施例の光通信網の特徴を説明するための図である。
【００１３】
なお、本発明実施例では、説明をわかりやすくするために、送信側エッジノードＳと受信側エッジノードＲとを区別して説明するが、実際には、エッジノードには送信側の機能および受信側の機能の双方が設けられており、双方向に通信を行うことができる。
【００１４】
本発明は、図１に示すように、データ転送元を収容する送信側エッジノードＳと、データ転送先を収容する受信側エッジノードＲと、送信側エッジノードＳと受信側エッジノードＲとの間に配置された中継ノードＬ１〜Ｌ４とを備え、送信側エッジノードＳと受信側エッジノードＲとの間に中継ノードＬ１〜Ｌ４を経由するカットスルーパスを設定および解放する機能を備え、送信側エッジノードＳと中継ノードＬ１〜Ｌ４と受信側エッジノードＲとの間にはそれぞれ異なる複数のデータ転送用波長λ０〜λｎが設定された光通信網である。前記カットスルーパスを設定または解放する機能は、送信側エッジノードＳ、中継ノードＬ１〜Ｌ４、受信側エッジノードＲにそれぞれ備えてもよいし、ノード外の光通信網にカットスルーパスの設定および解放を一括管理する装置として一つあるいは複数分散して備えてもよい。また、当該機能は、周知の技術であり、図示および説明は省略する。
【００１５】
ここで、本発明の特徴とするところは、図２に示すように、データ転送用波長λ０〜λｎのうち波長λ０が前記カットスルーパスを設定および解放する機能がカットスルーパスを設定および解放するために用いる制御用波長としてあらかじめ設定されたところにある。
【００１６】
このように、カットスルーパス設定専用の制御用波長をλ０と決めておけば、その制御用波長λ０を扱うＣＰＵの処理手順としては、カットスルーパス設定に特化した処理手順としておけばよいので、処理の高速化を図ることができる。
【００１７】
すなわち、制御用波長λ０でパケットが到着したときには、そのパケットが通常の情報パケットであるか、あるいは、カットスルーパス設定のための制御パケットであるかを識別する必要がなく、速やかに、カットスルーパス設定手順を開始することができるため、その分の処理時間を短縮することができる。カットスルーパスを設定する波長は空いているデータ転送用波長λ１〜λｎのいずれかから選択する。
【００１８】
（第二実施例）
本発明第二実施例を図３を参照して説明する。図３は本発明第二実施例の光通信網の特徴を説明するための図である。第二実施例では、さらに、制御用波長λ０を除くデータ転送用波長λ１〜λｎのうちλ１およびλ２をカットスルーパスとして用いるための専用波長としてあらかじめ設定する。
【００１９】
これにより、一つの光波長を、あるときは一般のデータ転送用波長として用い、またあるときはカットスルーパスとして用いることがないため、カットスルーパスとして用いるための専用波長については、もはや、そこを転送されるＩＰパケットのヘッダ情報を読み取る必要が無い。したがって、初めからヘッダ読み取りのための機構を一切排除した設計とすることできる。これにより、ノードの設計を簡単化することができる。さらに、カットスルーパスの設定要求が到着してから波長を選択したり、そのデータ転送用波長を他のカットスルーパスではないデータ転送用波長と区別するための設定変更を行う必要がなく、カットスルーパス設定時間を短縮することができる。
【００２０】
【発明の効果】
以上説明したように、本発明によれば、ノードの設計を簡単化することができ、また、カットスルーパスの設定時間を短縮し、効率の良いバーストデータ転送を行うことができる。
【図面の簡単な説明】
【図１】本発明実施例の光通信網の概念図。
【図２】本発明第一実施例の光通信網の特徴を説明するための図。
【図３】本発明第二実施例の光通信網の特徴を説明するための図。
【符号の説明】
Ｌ１〜Ｌ４  中継ノード
Ｒ  受信側エッジノード
Ｓ  送信側エッジノード
【図１】
0003647793.tif 000002
【図２】
0003647793.tif 000003
【図３】
0003647793.tif 000004